(57)【要約】      （修正有）【課題】視線誘導機能と距離標の標示機能とを簡単な構造で両立させた距離標を提供する。【解決手段】立設する円柱形状の本体部１１を備え、この本体部の外周側面に再帰反射性シート２を全周に亘って巻回させ、前記反射性シートは表面全体が再帰反射性を有し、且つその表面の一部に少なくとも距離、又は路線名、又は現在位置、のいずれかを示す標示を施す。前記反射性シートが表面全体が再帰反射性を有するので、周囲のどの方向から光を照射させてもこれを再帰反射させる視線誘導機能を備えさせることができる。また、前記再帰反射性シートの表面の一部に少なくとも距離、又は路線名、又は現在位置、のいずれかを示す標示が施されているので、再帰反射性シートを貼着させるという簡単な作業で距離標１の標示機能を備えさせることができる。【選択図】図１
0003160617.tif 000002
【実用新案登録請求の範囲】
【請求項１】
立設する円柱形状の本体部を備え、該本体部の外周側面には再帰反射性シートが全周に亘って巻回され、前記反射性シートは表面全体が再帰反射性を有し、且つその表面の一部に少なくとも距離、又は路線名、又は現在位置、のいずれかを示す標示が施されていることを特徴とする距離標。
【請求項２】
前記再帰反射性シートの表面の標示が、路面より１００ｃｍ以上１７０ｃｍ以下の高さに位置するように設けられていることを特徴とする請求項１に記載の距離標。
【請求項３】
前記再帰反射性シートの表面の標示が、静電印刷によって形成されていることを特徴とする請求項１又は２に記載の距離標。
【考案の詳細な説明】
【技術分野】
【０００１】
本考案は、起点からの距離や、目的地までの距離、路線名、位置などを表示する距離標に関するものである。
【背景技術】
【０００２】
車両の運転手や、歩行者、道路の管理者などに対して、起点からの距離や、目的地までの距離、路線名、現在位置を示す距離標については、種々の形態が提案されている。
【０００３】
例えば特許文献１には、左右両側に非平行状となる平板部を形成すると共に、当該平板部の両端長手方向に沿ってガイド部を形成してなるアルミ合金製の中空状支柱本体と、この支柱本体の平板部の下方位置ほぼ中央に突設するストッパーと、前記支柱本体に形成したガイド部によって案内され、支柱本体の平板部に面接触し得る反射板および／またはこの反射板の長手方向長さの倍の長さを有する距離標、地点標の如き標示板と、支柱本体の上面に嵌着固定する合成樹脂製の蓋体とから構成され、支柱本体の上面から蓋体を外し、支柱本体のガイド部によって案内させて平板部の前面に反射板および／または標示板を選択的に差し込み、最下端の反射板または標示板を前記ストッパーにより係止させ、支柱本体の上面に蓋体を嵌着固定するようにしたことを特徴とする多機能型視線誘導標が開示されている。
【先行技術文献】
【特許文献】
【０００４】
【特許文献１】登録実用新案第３０４６０４２号公報
【考案の概要】
【考案が解決しようとする課題】
【０００５】
しかしながら、特許文献１の如き多機能型視線誘導標は、反射板と共に距離標や地点標の標示を施した標示板が備えられると共にこれらが交換可能になされているが、反面その構造が複雑なものとなされ、製造コストが高くなるという問題があった。
【０００６】
そこで本考案は、視線誘導機能と距離標の標示機能とを簡単な構造で両立させた距離標を提供するものである。
【課題を解決するための手段】
【０００７】
上記目的を達成するため、本考案は以下のような構成としている。
すなわち本考案に係る距離標は、立設する円柱形状の本体部を備え、該本体部の外周側面には再帰反射性シートが全周に亘って巻回され、前記反射性シートは表面全体が再帰反射性を有し、且つその表面の一部に少なくとも距離、又は路線名、又は現在位置、のいずれかを示す標示が施されていることを特徴としている。
【０００８】
本考案に係る距離標によれば、立設する円柱形状の本体部を備え、この本体部の外周側面に再帰反射性シートを全周に亘って巻回させ、前記反射性シートが表面全体が再帰反射性を有するので、周囲のどの方向から光を照射させてもこれを再帰反射させる視線誘導機能を備えさせることができる。
また、前記再帰反射性シートの表面の一部に少なくとも距離、又は路線名、又は現在位置、のいずれかを示す標示が施されているので、再帰反射性シートを貼着させるという簡単な作業で距離標の標示機能を備えさせることができると共に、その構造も簡単なものとすることができる。
【０００９】
また、前記再帰反射性シートの表面の標示を、路面より１００ｃｍ以上１７０ｃｍ以下の高さに位置するように設ければ、車両の運転手と歩行者の両方の目線に近い位置で標示を行うことができ、好ましい。
【００１０】
また、前記再帰反射性シートの表面の標示を、静電印刷によって形成すれば、標示部分をドットやその他の微細なパターンで容易に描くことができるので、このようなパターン間の隙間部分で再帰反射性シートの再帰反射効果を得ることができ、その視認性が良好なものとなされるので、好ましい。
【考案の効果】
【００１１】
本考案の距離標によれば、視線誘導機能と距離標の標示機能とを簡単な構造で両立できる。
【図面の簡単な説明】
【００１２】
【図１】本考案に係る距離標の実施の一形態を示す図であり、（イ）は平面図であり、（ロ）は正面図であり、（ハ）は背面図である。
【図２】図１の距離標の設置状態を示す図である。
【図３】図１の距離標の本体部に貼着する前の再帰反射性シートの外観を示す図である。
【図４】本考案に係る距離標の実施の他の一形態の設置状態を示す図である。
【図５】図４の距離標の固定に用いる固定バンドの一形態を示す図である。
【考案を実施するための形態】
【００１３】
まず最初に、図１および図２によって、本考案に係る距離標の全体的な構成について説明する。
図面において１は距離標であり、１１はこれを構成する本体部である。
本体部１１は長手方向を上下に向けた円筒形状に形成されており、ポリエチレン樹脂の押出成形によって形成されている。本実施形態の本体部１１は長さ方向に沿ってガラス繊維の補強材が埋設されており、その機械的強度が高められている。
また本体部１１の上端にはキャップ１２が固定されて中空の開口部分を閉塞させている。
本体部１１はポリエチレン樹脂に限るものではなく、ポリプロピレン樹脂、ポリ塩化ビニル樹脂など他の合成樹脂や金属などを好適に用いることができる。
【００１４】
本体部１１の下部には、金属製のアンカー棒１３が固定されており、具体的には本体部１１を貫通したアンカー棒１３の両端が本体部１１の外周側面から側方へ突出して取り付けられている。
距離標１は、本体部１１の下部を設置面Ｇに設けた埋設穴に挿入させ、本体部１１と埋設穴との間の空隙を埋めるように硬化体Ｈを充填し固化させて本体部１１を立設して固定させる。硬化体Ｈは施工時に流動性を有し施工後に硬化するものを用いることができ、セメント、モルタル、コンクリートなどを好適に用いることができる。
本体部１１の下部に設けたアンカー棒１３は、前記埋設穴に収納されて硬化体Ｈに埋設されることで、本体部１１と硬化体Ｈとの固定が外れて、本体部１１が上方へ抜けることを防止させる。
【００１５】
本体部１１の上部には再帰反射性シート２が貼着されている。
具体的には本体部１１の外周側面の全周に亘って再帰反射性シート２が巻回されて１枚貼着されている。
反射シート２は照射された光を照射方向へ反射させる光の再帰反射性を有するものであり、一例として、シート内部にガラスビーズ等の再帰反射成分を封入した構成のものや、シート内部にキューブコーナープリズム等のプリズム素子を形成させた構成のものを好適に用いることができ、本実施形態ではシート内部にキューブコーナープリズム素子が形成された再帰反射シートを用いている。
【００１６】
図３は図１の距離標１の本体部１に貼着する前の再帰反射性シート２の外観を示す図である。
この再帰反射性シート２は縦長の長方形状であって、その表面には、標示２１が施されている。
標示２１は、情報を表す文字や数字、記号、図形などから構成され、本実施形態の標示２１は、路線名を表す標示２１ａ、距離標の設置されている現在位置と該現在位置から所定の所までの距離を表す標示２１ｂ、２１ｃとから構成されている。
また、本実施形態の標示２１ａ、２１ｂ、２１ｃは、再帰反射性シート２の横方向に２個づつ形成されており、本体部１１に巻回されて貼着された際に、本体部１１の正面側と背面側にそれぞれ配置されるように設けられている。
再帰反射性シート２の表面に各標示２１ａ、２１ｂ、２１ｃを設けることで、前記再帰反射性シート２を貼着させるだけで、本体部１１へ再帰反射性と情報表示の２つの機能を同時に持たせることが容易にできる。
【００１７】
また、本実施形態の標示２１ａ、２１ｂ、２１ｃは、図２に示す設置状体において、設置面Ｇから上方へ１００ｃｍ以上、１７０ｃｍ以下の範囲に位置するように、本体部１１に貼着されている。このように標示２１ａ、２１ｂ、２１ｃを位置させることで、車両の運転手の目線とともに、歩行者の目線に近い位置に配置できるので、各標示２１の視認性が良好となされる。
【００１８】
再帰反射性シート２の表面への標示２１の形成方法は、情報を表示できれば特に限定されるものではなく、外形が情報を表す文字等の形状に切り出されたシートを表面に貼着させて形成させてもよく、情報を表す文字等を塗装によって形成させてもよく、シルクスクリーンやインクジェットなどの印刷で形成させてもよく、その他の方法でもよいが、本実施形態の標示２１は再帰反射性シート２の表面に静電印刷を施されて形成されている。
具体的には、標示２１は、再帰反射性シート２の表面に付着したインクが微細なドットパターンで情報を表す文字や数字が描くように印刷されて形成されている。
このような構成とすることで、外方から再帰反射性シート２に照射された光が、標示２１を構成する表面の各ドット間の隙間部分から再帰反射性シート２の内部に入射し、内部に設けられたプリズム素子によって再帰反射された光が再度前記の各ドット間の隙間部分から外部に放射されて、光の照射方向へ再帰反射させることができる。
標示２１の形成に静電印刷やシルクスクリーン、インクジェットなどの印刷方法を用いることで、標示２１をドットやその他の微細なパターンで容易に描くことができるとともに、情報を表す文字や図形等を様々な形状や色調で容易に描くことができ、特に静電印刷を用いることで、標示２１の耐候性を良好なものとすることができる。
【００１９】
本実施形態の標示２１は、再帰反射性シート２の一部に印刷されて設けられており、具体的には、情報をあらわす標示２１ａ、２１ｂ、２１ｃの部分がその他の部分より濃色で描かれている。
このように構成することで、各標示２１ａ、２１ｂ、２１ｃ以外の部分に付着するインクの量が少なくなされ、より具体的にはインクの形成するドットパターンの各ドット間の隙間が大きく形成されるので、各標示２１ａ、２１ｂ、２１ｃ以外の部分における再帰反射性シート２の再帰反射効果がより高いものとなされる。すなわち、標示する情報を描くように形成されている各標示２１ａ、２１ｂ、２１ｃ以外の方向から距離標１に光が照射されても、高い再帰反射効果で光を反射できるので、距離標１の視認性が良好なものとなされる。尚、再帰反射性シート２の表面の各標示２１ａ、２１ｂ、２１ｃ以外の部分においては、上記の如く再帰反射効果を有するドットパターンなどの印刷を施してもよく、印刷を施さなくてもよい。
【００２０】
図４は本考案に係る距離標１の実施の他の一形態の設置状態を示す図である。
本実施形態の距離標１は、本体部１１の下部が設置面Ｇに埋設されておらず、ガードレール４を固定するために立設された支柱４１に、固定バンド５を介して固定されている。そして本実施形態の距離標１は、本体部１１の長さが短く形成され、その下部にアンカー棒１３が固定されていない点が図１の実施形態と異なる主な事項である。
【００２１】
図５は図４の距離標の固定に用いる固定バンド５の一形態を示す図であり、（イ）は平面図であり、（ロ）は正面図である。
固定バンド５は前記支柱４１の外周側面に挟着される２個一対の支柱固定金具５２と、前記本体部１１の外周側面に嵌着される１個の距離標固定金具５１とを備え、それぞれがボルト・ナットＢ１、Ｂ２で固定されている。
支柱固定金具５２は、支柱４１の外径に対応した半円形に曲げ加工された板状金具の両端から前記半円形の外側へ平板形状の支柱締結部５２ａ、５２ｂがそれぞれ突出するように延設された形状に形成されている。
上記の支柱固定金具５２を２個用い、それぞれ半円形に曲げ加工させた部分の内側に支柱４１を挿入させて、各支柱締結部５２ａ、５２ｂをそれぞれ向かい合わせて配置させ、各支柱締結部５２ａを貫通させたボルト・ナットＢ１、及び各支柱締結部５２ｂを貫通させたボルト・ナットＢ２を締結させることで、前記各支柱固定金具５２が前記支柱４１の外周側面を挟み込んで固定される。
【００２２】
前記距離標固定金具５１は本体部１１の外径に対応した略円形に曲げ加工された板状金具の両端から前記円形の外方へ平板形状の距離標締結部５１ａがそれぞれ突出するように延設された形状に形成されている。
距離標固定金具５１は、略円形に曲げ加工させた部分の内側に本体部１１を挿入させて、各距離標締結部５１ａに前記ボルト・ナットＢ１を支柱締結部５２ａを貫通して締結させることで、前記距離標固定金具５１が本体部１１の外周側面を締め込んで固定される。
即ち、距離固定金具５１の各距離標締結部５１ａは、前記各支柱固定金具５２のボルト・ナットＢ１を貫通させた各支柱締結部５２ａの内側に挿入されて配置されており、ボルト・ナットＢ１によって距離標固定金具５１と支柱固定金具５２とが固定されると共に、ボルト・ナットＢ１を螺結させることで、距離標固定金具５１と支柱固定金具５２とがそれぞれ支柱４１と本体部１１とを締め込み固定させるようになされている。
【符号の説明】
【００２３】
１          距離標
１１        本体部
１２        キャップ部
１３        アンカー棒
２          再帰反射性シート
４          ガードレール
４１        支柱
５          固定バンド
５１        距離標固定金具
５１ａ      距離標締結部
５２        支柱固定金具
５２ａ、５２ｂ  支柱締結部
Ｇ          設置面
Ｈ          硬化体
Ｂ１、Ｂ２  ボルト・ナット
【図１】
0003160617.tif 000003
【図２】
0003160617.tif 000004
【図３】
0003160617.tif 000005
【図４】
0003160617.tif 000006
【図５】
0003160617.tif 000007